(57)【要約】本願明細書では、式：（ＯＨ）ｘ（Ｒ１）（ＣＯＯＨ）ｙ（式中、ｘは２〜１０であり；ｙは３〜１０であり；Ｒ１は、Ｃ２〜５０脂肪族基、Ｃ６〜５０芳香族基、又はこれらの組み合わせである）のヒドロキシル化カルボン酸を含み；ヒドロキシル化カルボン酸は、ヒドロキシル化カルボン酸、そのエステル、その塩、その無水物、又はこれらの組み合わせを含む；熱伝達流体が開示される。熱伝達システムは、アルミニウム部品、マグネシウム部品、又はアルミニウム部品及びマグネシウム部品；並びに上記の熱伝達流体；を含む。【選択図】なし【特許請求の範囲】
【請求項１】
式（Ｉ）：
（ＯＨ）ｘ（Ｒ１）（ＣＯＯＨ）ｙ    （Ｉ）
（式中、ｘは２〜１０であり；ｙは３〜１０であり；Ｒ１は、Ｃ２〜５０脂肪族基、Ｃ６〜５０芳香族基、又はこれらの組み合わせである）
のヒドロキシル化カルボン酸を含み；
ヒドロキシル化カルボン酸は、ヒドロキシル化カルボン酸、そのエステル、その塩、その無水物、又はこれらの組み合わせを含む、熱伝達流体。
【請求項２】
ヒドロキシル化カルボン酸が式（ＩＩ）：
Ｒ２［Ｒ４（ＯＨ）ｘ（ＣＯＯＨ）ｙ−ｚ］［Ｒ３（ＣＯＯＨ）ｚ］    （ＩＩ）
（式中、Ｒ２は一価であり；Ｒ３は１＋ｚの全価数を有し；Ｒ２及びＲ３は、独立して、Ｃ１〜２０脂肪族基、Ｃ６〜２０芳香族基、又はこれらの組み合わせであり；Ｒ４は２＋ｘ＋ｙ−ｚの全価数を有し、Ｃ２〜１５脂肪族基、Ｃ６〜１５芳香族基、又はこれらの組み合わせであり；ｚは１〜８であり、但しｙ−ｚは２以上である）
のものである、請求項１に記載の熱伝達流体。
【請求項３】
ヒドロキシル化カルボン酸が式（ＩＩＩ）：
Ｒ５［Ｒ７（ＯＨ）ｘ（ＣＯＯＨ）ｙ−ｚ］［Ｒ６（ＣＯＯＨ）ｚ］    （ＩＩＩ）
（式中、Ｒ５及び［Ｒ６（ＣＯＯＨ）ｚ］は１の全価数を有し、独立して、アルキル基、アルケニル基、シクロアルキル基、シクロアルケニル基、及びこれらの組み合わせからなる群から選択されるＣ１〜２０脂肪族基であり；［Ｒ７（ＯＨ）ｘ（ＣＯＯＨ）ｙ−ｚ］は２の全価数を有し、アルキレン基、アルケニレン基、シクロアルキレン基、シクロアルケニレン基、及びこれらの組み合わせからなる群から選択されるＣ１〜１５脂肪族基である）
のものである、請求項２に記載の熱伝達流体。
【請求項４】
ヒドロキシル化カルボン酸が式（ＩＶ）：
ＣＨ３(ＣＨ２)ｍ［Ｒ７(ＯＨ)ｘ(ＣＯＯＨ)ｙ−１］(ＣＨ２)ｎ(ＣＯＯＨ)  （ＩＶ）
（式中、ｍ及びｎは独立して０〜１９である）
のものである、請求項３に記載の熱伝達流体。
【請求項５】
ｍ及びｎが独立して０〜１５である、請求項４に記載の熱伝達流体。
【請求項６】
ｍ及びｎが独立して０〜１０である、請求項５に記載の熱伝達流体。
【請求項７】
ｍ＋ｎが１６以下である、請求項６に記載の熱伝達流体。
【請求項８】
ヒドロキシル化カルボン酸が、
次式（Ｖ）：
【化１】
2011527726.tif 000018
のヒドロキシル化カルボン酸；
式（ＶＩ）：
【化２】
2011527726.tif 000019
のヒドロキシル化カルボン酸；
及びこれらの組み合わせからなる群から選択される、請求項４に記載の熱伝達流体。
【請求項９】
ｍ及びｎが独立して０〜１５である、請求項８に記載の熱伝達流体。
【請求項１０】
ｍ及びｎが独立して０〜１０であり、但しｍ＋ｎは１６以下である、請求項９に記載の熱伝達流体。
【請求項１１】
式（Ｖ）のヒドロキシル化カルボン酸の無水物が式（ＸＩ）：
【化３】
2011527726.tif 000020
のものである、請求項８に記載の熱伝達流体。
【請求項１２】
ヒドロキシル化カルボン酸のエステルが式（ＶＩＩ）：
（ＯＨ）ｘ（Ｒ１）（ＣＯＯＨ）ｙ−ｐ（ＣＯＯＲ８）ｐ      （ＶＩＩ）
（式中、ｐは１〜９であり、但しｐはｙ以下である）
のものである、請求項１に記載の熱伝達流体。
【請求項１３】
Ｒ８が式（ＶＩＩＩ）：
【化４】
2011527726.tif 000021
（式中、ｓは０〜１０である）
のものである、請求項１２に記載の熱伝達流体。
【請求項１４】
ヒドロキシル化カルボン酸の塩が式（ＩＸ）：
（ＯＨ）ｘ−ｑ（ＯＭ）ｑ（Ｒ１）（ＣＯＯＨ）ｙ−ｐ（ＣＯＯＭ）ｐ    （ＩＸ）
（式中、ｑは１〜９であり、但しｑはｘ以下であり；Ｍは、有機カチオン、無機カチオン、又はこれらの組み合わせを含む）
のものである、請求項１に記載の熱伝達流体。
【請求項１５】
Ｍが、アルカリ金属カチオン、アルカリ土類金属カチオン、遷移金属カチオン、アンモニウムカチオン、ホスホニウムカチオン、ピリジニウムカチオン、イミダゾリニウムカチオン、ピラゾリニウムカチオン、トリアゾリニウムカチオン、テトラゾリニウムカチオン、又はこれらの組み合わせを含む、請求項１４に記載の熱伝達流体。
【請求項１６】
ヒドロキシル化カルボン酸の無水物が式（Ｘ）：
【化５】
2011527726.tif 000022
（式中、ｖは、２、４、６、８、又は１０であり、但しｖはｙ以下である）
のものである、請求項１に記載の熱伝達流体。
【請求項１７】
熱伝達流体の全重量を基準として約０．０１重量％〜約１０重量％のヒドロキシル化カルボン酸を含む、請求項１に記載の熱伝達流体。
【請求項１８】
熱伝達流体の全重量を基準として約０．１重量％〜約５重量％のヒドロキシル化カルボン酸を含む、請求項１７に記載の熱伝達流体。
【請求項１９】
アルコール、水、又はこれらの組み合わせを更に含む、請求項１に記載の熱伝達流体。
【請求項２０】
アルコールが、一価アルコール、多価アルコール、又はこれらの組み合わせを含む、請求項１９に記載の熱伝達流体。
【請求項２１】
アルコールが、メタノール、エタノール、プロパノール、ブタノール、フルフロール、テトラヒドロフルフロール、エトキシル化フルフロール、アルコキシアルカノール、エチレングリコール、ジエチレングリコール、トリエチレングリコール、１，２−プロピレングリコール、１，３−プロピレングリコール、ジプロピレングリコール、ブチレングリコール、グリセロール、グリセロール−１，２−ジメチルエーテル、グリセロール−１，３−ジメチルエーテル、グリセロールのモノエチルエーテル、ソルビトール、１，２，６−ヘキサントリオール、トリメチロールプロパン、及びこれらの組み合わせからなる群から選択される、請求項２０に記載の熱伝達流体。
【請求項２２】
熱伝達流体の全重量を基準として約０．１〜約９９．９重量％のアルコールを含む、請求項１９に記載の熱伝達流体。
【請求項２３】
熱伝達流体の全重量を基準として約０．１〜約９０重量％の水を含む、請求項１９に記載の熱伝達流体。
【請求項２４】
アゾール類、シロキサン類、コロイダルシリカ、シリケート、Ｃ６〜Ｃ１４の脂肪族又は芳香族モノ又はジカルボン酸、Ｃ６〜Ｃ１４の脂肪族又は芳香族モノ又はジカルボキシレート、トール油脂肪酸、ボレート、ナイトレート、ナイトライト、それらのアルカリ金属塩、それらのアルカリ土類金属塩、それらのアンモニウム塩、それらのアミン塩、及びこれらの組み合わせを含む腐食抑制剤を更に含む、請求項１に記載の熱伝達流体。
【請求項２５】
モリブデン、タングステン、バナジウム、リン、アンチモン、又はこれらの組み合わせのオキシアニオンを更に含む、請求項１に記載の熱伝達流体。
【請求項２６】
着色剤、消泡剤、湿潤剤、殺生物剤、苦味剤、分散剤、又はこれらの組み合わせを更に含む、請求項１に記載の熱伝達流体。
【請求項２７】
式（Ｉ）：
（ＯＨ）ｘ（Ｒ１）（ＣＯＯＨ）ｙ    （Ｉ）
（式中、ｘは２〜１０であり；ｙは３〜１０であり；Ｒ１は、Ｃ２〜５０脂肪族基、Ｃ６〜５０芳香族基、又はこれらの組み合わせである）
のヒドロキシル化カルボン酸を含む添加剤パッケージを熱伝達流体と混合することを含み；
熱伝達流体が、水、アルコール、又はこれらの組み合わせを含み；
ヒドロキシル化カルボン酸が、ヒドロキシル化カルボン酸、そのエステル、その塩、その無水物、又はこれらの組み合わせを含む；
熱伝達流体の処理方法。
【請求項２８】
式（Ｉ）：
（ＯＨ）ｘ（Ｒ１）（ＣＯＯＨ）ｙ    （Ｉ）
（式中、ｘは２〜１０であり；ｙは３〜１０であり；Ｒ１は、Ｃ２〜５０脂肪族基、Ｃ６〜５０芳香族基、又はこれらの組み合わせである）
のヒドロキシル化カルボン酸を含み；
ヒドロキシル化カルボン酸が、ヒドロキシル化カルボン酸、そのエステル、その塩、その無水物、又はこれらの組み合わせを含む；
熱伝達流体と共に用いるための添加剤パッケージ。
【請求項２９】
添加剤パッケージの全重量を基準として約１重量％〜約１００重量％のヒドロキシル化カルボン酸を含む、請求項２８に記載の添加剤パッケージ。
【請求項３０】
腐食抑制剤を更に含む、請求項２８に記載の添加剤パッケージ。
【請求項３１】
添加剤パッケージの全重量を基準として約１重量％〜約９９重量％の腐食抑制剤を含む、請求項３０に記載の添加剤パッケージ。
【請求項３２】
溶媒を更に含む、請求項２８に記載の添加剤パッケージ。
【請求項３３】
添加剤パッケージの全重量を基準として約０．５重量％〜約５０重量％の溶媒を含む、請求項３２に記載の添加剤パッケージ。
【請求項３４】
アルミニウム部品、マグネシウム部品、又はアルミニウム部品及びマグネシウム部品；並びに
請求項１〜２６のいずれかに記載の熱伝達流体；
を含む熱伝達システム。
【請求項３５】
アルミニウム部品、マグネシウム部品、又はアルミニウム部品及びマグネシウム部品を含む熱伝達システムを、請求項１〜２６のいずれかに記載の熱伝達流体と接触させる；
ことを含む、熱を伝達させる方法。
【発明の詳細な説明】
【技術分野】
【０００１】
本出願は、２００８年７月１１日出願の米国仮出願６１／０８０，０１１（その全部が参照により本明細書中に援用されるものとする）の利益を主張する。
本発明は、概して、熱伝達流体、添加剤パッケージ、システム、及び方法に関する。
【背景技術】
【０００２】
動力源の運転は熱を発生する。動力源と連絡させた熱伝達システムは、動力源からの熱を吸収及び放散することによって生成した熱を調節する。例えば、ガソリンで動く内燃エンジンは自動車を駆動する。熱伝達流体及びシステムは、ガソリン燃焼の副生成物として生成する熱を放散し、エンジンが最適の温度で運転されるようにする。一般に水又はグリコールを含む熱伝達流体は、腐食しやすい１つ又は幾つかの金属部材に連絡する。したがって、金属部材を腐食から保護するために、幾つかの腐食抑制剤を熱伝達流体に加える。
【０００３】
電池、燃料電池、太陽電池又は光電池、及び蒸気の圧縮、天然ガス、ディーゼル、バイオディーゼル、アルコール、バイオアルコール、水素などによって動く内燃エンジンなど（しかしながらこれらに限定されない）の内燃エンジンに代わる幾つかの動力源も、熱伝達流体及びシステムの利益を享受する。代替動力源は、単独か、又はハイブリッドの車両又は他の非車両用途におけるように組み合わせて用いることができる。
【０００４】
アルミニウムは、その合金と共に、ラジエーター、凝縮器、蒸発器、ヒーターコア、インタークーラー、給気クーラー、オイルクーラー、熱交換器、水ポンプ、流路、エンジンブロックなどのような熱伝達システムの幾つかの部品の製造において用いることができる金属の例である。
【０００５】
マグネシウム合金は高い強度／重量比を有する。車両におけるマグネシウム合金の使用は、燃料の経済性を向上し、汚染を減少し、石油に対する依存性を低下させる必要性のために増加している。オイルパン、ギアボックスハウジング、及びラジエーターサポートアセンブリなど（しかしながらこれらに限定されない）の車両の種々の部品における幾つかのマグネシウム合金の用途が開発されている。しかしながら、エンジンブロックのような車両の伝動システム、及び熱伝達システムの部品に関してマグネシウム合金を使用することは、今までは非常に制限されている。１つの制限は、熱伝達システムにおいて通常的に用いられる熱伝達流体とそれらを接触させた際のそれらの劣った耐腐食性によるものである可能性がある。代替動力源におけるマグネシウム合金の使用は、同様の腐食に関係する欠点を有する。
【０００６】
アルミニウム及びマグネシウムは、キャビテーション腐食、摩耗腐食、キャビテーション摩耗腐食、ハロゲンベースのフラックス残渣に誘発される腐食、電解腐食、孔食、隙間腐食など（しかしながらこれらに限定されない）のような腐食を起こしやすい可能性がある。有機酸、シリケート、有機酸／シリケート複合材料などのような幾つかのタイプの腐食抑制剤が、上記の腐食に対応することが確認されている。しかしながら、通常の腐食抑制剤は、経時的な活性腐食抑制剤の減少、キャビテーション腐食及び摩耗腐食による初期不具合をもたらす特定の部品（例えば水ポンプ）内での過度の発泡、及び異なる腐食しやすい金属との適合性の欠如など（しかしながらこれらに限定されない）の幾つかの欠点を有する。
【発明の概要】
【発明が解決しようとする課題】
【０００７】
したがって、熱伝達システム内の部品に悪影響を与える可能性がある発泡傾向を減少させながら、アルミニウム及びマグネシウムなど（しかしながらこれらに限定されない）の幾つかの金属に向上した耐腐食性を与える熱伝達流体に対する必要性が存在する。更に、向上した腐食抑制特性、並びに消泡性又は低い発泡性などのような他の有利な特性を有する腐食抑制剤に関する関心が継続して存在する。
【課題を解決するための手段】
【０００８】
上記に記載の及び他の欠点は、式（Ｉ）：
（ＯＨ）ｘ（Ｒ１）（ＣＯＯＨ）ｙ    （Ｉ）
（式中、ｘは２〜１０であり；ｙは３〜１０であり；Ｒ１は、Ｃ２〜５０脂肪族基、Ｃ６〜５０芳香族基、又はこれらの組み合わせである）
のヒドロキシル化カルボン酸を含み；ヒドロキシル化カルボン酸は、ヒドロキシル化カルボン酸、そのエステル、その塩、その無水物、又はこれらの組み合わせを含む；熱伝達流体によって軽減される。
【０００９】
一態様は、式（Ｉ）：
（ＯＨ）ｘ（Ｒ１）（ＣＯＯＨ）ｙ    （Ｉ）
（式中、ｘは２〜１０であり；ｙは３〜１０であり；Ｒ１は、Ｃ２〜５０脂肪族基、Ｃ６〜５０芳香族基、又はこれらの組み合わせである）のヒドロキシル化カルボン酸を含む添加剤パッケージを熱伝達流体と混合することを含み；熱伝達流体が、水、アルコール、又はこれらの組み合わせを含み；ヒドロキシル化カルボン酸が、ヒドロキシル化カルボン酸、そのエステル、その塩、その無水物、又はこれらの組み合わせを含む；熱伝達流体の処理方法である。
【００１０】
他の態様は、式（Ｉ）：
（ＯＨ）ｘ（Ｒ１）（ＣＯＯＨ）ｙ    （Ｉ）
（式中、ｘは２〜１０であり；ｙは３〜１０であり；Ｒ１は、Ｃ２〜５０脂肪族基、Ｃ６〜５０芳香族基、又はこれらの組み合わせである）のヒドロキシル化カルボン酸を含み；ヒドロキシル化カルボン酸が、ヒドロキシル化カルボン酸、そのエステル、その塩、その無水物、又はこれらの組み合わせを含む；熱伝達流体と共に用いるための添加剤パッケージである。
【００１１】
他の態様は、アルミニウム部品、マグネシウム部品、又はこれらの組み合わせ；並びに、式（Ｉ）：
（ＯＨ）ｘ（Ｒ１）（ＣＯＯＨ）ｙ    （Ｉ）
（式中、ｘは２〜１０であり；ｙは３〜１０であり；Ｒ１は、Ｃ２〜５０脂肪族基、Ｃ６〜５０芳香族基、又はこれらの組み合わせである）のヒドロキシル化カルボン酸を含み、ヒドロキシル化カルボン酸は、ヒドロキシル化カルボン酸、そのエステル、その塩、その無水物、又はこれらの組み合わせを含む熱伝達流体；を含む熱伝達システムである。
【００１２】
他の態様は、アルミニウム部品、マグネシウム部品、又はこれらの組み合わせを含む熱伝達システムを、式（Ｉ）：
（ＯＨ）ｘ（Ｒ１）（ＣＯＯＨ）ｙ    （Ｉ）
（式中、ｘは２〜１０であり；ｙは３〜１０であり；Ｒ１は、Ｃ２〜５０脂肪族基、Ｃ６〜５０芳香族基、又はこれらの組み合わせである）のヒドロキシル化カルボン酸を含み、ヒドロキシル化カルボン酸は、ヒドロキシル化カルボン酸、そのエステル、その塩、その無水物、又はこれらの組み合わせを含む熱伝達流体と接触させることを含む、熱を伝達させる方法である。
【００１３】
ここで図面を参照する。複数の図において同一の要素には同一の番号を付す。
【図面の簡単な説明】
【００１４】
【図１】図１は、代表的な熱伝達システムの概要図である。
【図２】図２は、他の代表的な熱伝達システムの概要図である。
【発明を実施するための形態】
【００１５】
驚くべきことに、本発明者らは、式（Ｉ）：
（ＯＨ）ｘ（Ｒ１）（ＣＯＯＨ）ｙ    （Ｉ）
のヒドロキシル化カルボン酸を含む熱伝達流体が、熱伝達流体の発泡を減少させながら、アルミニウム、マグネシウム、及びこれらの合金の腐食を抑制するのに有効であることを発見した。理論に縛られることは望まないが、熱伝達流体の減少した発泡は、キャビテーション腐食及び／又は摩耗腐食の影響を減少させることによってその腐食抑制特性に更に寄与すると考えられる。
【００１６】
ここで用いる「ヒドロキシル化カルボン酸」は、ヒドロキシル化カルボン酸、そのエステル、その塩、その無水物、及び上記の少なくとも１つを含む組み合わせを包含する。
式（Ｉ）において用いるｘは、２〜１０、より具体的には２〜８、より具体的には２〜６、更により具体的には２〜４である。一態様においては、ｘは２である。式（Ｉ）において用いるｙは、３〜１０、より具体的には３〜８、より具体的には３〜６、更により具体的には３〜４である。一態様においては、ｙは４である。Ｒ１は、Ｃ２〜５０脂肪族基、又はＣ６〜５０芳香族基である。他の脂肪族基で置換されている脂肪族基、他の芳香族基で置換されている芳香族基、又は芳香族基で置換されている脂肪族基（芳香脂肪族）のような上記の組み合わせを用いることもできる。Ｒ１は（ｘ＋ｙ）の全価数を有する。
【００１７】
脂肪族基は、少なくとも１の価数を有し、場合によっては低級アルキル、低級アルコキシ、低級アルキルスルフェニル、低級アルキルスルホニル、オキソ、ヒドロキシ、メルカプト、場合によってはアルキルによって置換されているアミノ、カルボキシ、場合によってはアルキルによって置換されているカルバモイル、場合によってはアルキルによって置換されているアミノスルホニル、場合によってはアルコキシ、アルキル、又はアリールによって置換されているシリルオキシ、場合によってはアルコキシ、アルキル、又はアリールによって置換されているシリル、ニトロ、シアノ、ハロゲン、又は低級ペルフルオロアルキルからなる群から選択される置換基で置換されている（複数の置換度が可能である）原子の線状又は分岐配列を含む任意の基であってよい。而して、配列は窒素、イオウ、及び酸素のようなヘテロ原子を含んでいてよく、或いは炭素及び水素のみから構成されていてもよい。ここで用いる「低級」はＣ１〜６の基を指す。
【００１８】
脂肪族基はまた脂環式基も包含する。脂環式基は、少なくとも１の価数を有し、場合によっては低級アルキル、低級アルコキシ、低級アルキルスルフェニル、低級アルキルスルホニル、オキソ、ヒドロキシ、メルカプト、場合によってはアルキルによって置換されているアミノ、カルボキシ、場合によってはアルキルによって置換されているカルバモイル、場合によってはアルキルによって置換されているアミノスルホニル、場合によってはアルコキシ、アルキル、又はアリールによって置換されているシリルオキシ、場合によってはアルコキシ、アルキル、又はアリールによって置換されているシリル、ニトロ、シアノ、ハロゲン、又は低級ペルフルオロアルキルからなる群から選択される置換基で置換されている（多置換度が可能である）環式であるが芳香族ではない原子の配列を含む任意の基であってよい。配列は窒素、イオウ、及び酸素のようなヘテロ原子を含んでいてよく、或いは炭素及び水素のみから構成されていてもよい。
【００１９】
芳香族基は、少なくとも１の価数を有し、場合によっては低級アルキル、低級アルコキシ、低級アルキルスルファニル、低級アルキルスルフェニル、低級アルキルスルホニル、オキソ、ヒドロキシ、メルカプト、場合によってはアルキルによって置換されているアミノ、カルボキシ、場合によってはアルキルによって置換されているカルバモイル、場合によってはアルキルによって置換されているアミノスルホニル、場合によってはアルコキシ、アルキル、又はアリールによって置換されているシリルオキシ、場合によってはアルコキシ、アルキル、又はアリールによって置換されているシリル、ニトロ、シアノ、ハロゲン、又は低級ペルフルオロアルキルからなる群から選択される置換基で置換されている（多置換度が可能である）少なくとも１つの芳香族基を含む任意の基であってよい。
【００２０】
一態様においては、式（Ｉ）のヒドロキシル化カルボン酸は、式（ＩＩ）：
Ｒ２［Ｒ４（ＯＨ）ｘ（ＣＯＯＨ）ｙ−ｚ］［Ｒ３（ＣＯＯＨ）ｚ］    （ＩＩ）
（式中、Ｒ２は一価であり；Ｒ３は１＋ｚの全価数を有し；Ｒ２及びＲ３は、独立して、Ｃ１〜２０脂肪族基、Ｃ６〜２０芳香族基、又はこれらの組み合わせである）
のヒドロキシル化カルボン酸から選択される。Ｒ４は、（２＋ｘ＋ｙ−ｚ）の全価数を有し、Ｃ２〜１５脂肪族基、Ｃ６〜１５芳香族基、又はこれらの組み合わせである。更に、ｘ及びｙは上記に開示した通りであり、ｚは１〜８であり、但し（ｙ−ｚ）は２以上である。脂肪族基（脂環式基を含む）及び芳香族基は、上記に開示したもの全てを含む。
【００２１】
他の態様においては、式（ＩＩ）のヒドロキシル化カルボン酸は、式（ＩＩＩ）：
Ｒ５［Ｒ７（ＯＨ）ｘ（ＣＯＯＨ）ｙ−ｚ］［Ｒ６（ＣＯＯＨ）ｚ］    （ＩＩＩ）
（式中、Ｒ５及び［Ｒ６（ＣＯＯＨ）ｚ］は１の全価数を有し、独立して、アルキル基、アルケニル基、シクロアルキル基、シクロアルケニル基、及びこれらの組み合わせからなる群から選択されるＣ１〜２０脂肪族基である）
のヒドロキシル化カルボン酸から選択される。Ｒ６は（ＣＯＯＨ）ｚ、則ちｚの量のカルボン酸基を含む。［Ｒ７（ＯＨ）ｘ（ＣＯＯＨ）ｙ−ｚ］は、２の全価数を有し、アルキレン基、アルケニレン基、シクロアルキレン基、シクロアルケニレン基、及びこれらの組み合わせからなる群から選択され、ｘの量の（ＯＨ）基、及び（ｙ−ｚ）の量の（ＣＯＯＨ）基を有するＣ１〜１５脂肪族基である。また、ｘ、ｙ、及びｚは上記に開示した通りであり、但し（ｙ−ｚ）は２以上である。
【００２２】
アルキル基としては、１〜２０個の炭素原子を有し、場合によっては低級アルキル、低級アルコキシ、低級アルキルスルフェニル、低級アルキルスルホニル、オキソ、ヒドロキシ、メルカプト、場合によってはアルキルによって置換されているアミノ、カルボキシ、場合によってはアルキルによって置換されているカルバモイル、場合によってはアルキルによって置換されているアミノスルホニル、場合によってはアルコキシ、アルキル、又はアリールによって置換されているシリルオキシ、場合によってはアルコキシ、アルキル、又はアリールによって置換されているシリル、ニトロ、シアノ、ハロゲン、又は低級ペルフルオロアルキルからなる群から選択される置換基で置換されている（多置換度が可能である）一価の直鎖又は分岐鎖の炭化水素基が挙げられる。アルキル基の非限定的な例としては、メチル、ｎ−ブチル、ｎ−ペンチル、イソブチル、イソプロピル、ネオペンチル、ヘキシル、ヘプチルなどが挙げられる。
【００２３】
アルケニル基としては、２〜２０個の炭素原子、及び少なくとも１つの炭素−炭素二重結合を有し、場合によっては低級アルキル、低級アルコキシ、低級アルキルスルフェニル、低級アルキルスルホニル、オキソ、ヒドロキシ、メルカプト、場合によってはアルキルによって置換されているアミノ、カルボキシ、場合によってはアルキルによって置換されているカルバモイル、場合によってはアルキルによって置換されているアミノスルホニル、場合によってはアルコキシ、アルキル、又はアリールによって置換されているシリルオキシ、場合によってはアルコキシ、アルキル、又はアリールによって置換されているシリル、ニトロ、シアノ、ハロゲン、又は低級ペルフルオロアルキルからなる群から選択される置換基で置換されている（多置換度が可能である）一価の炭化水素基が挙げられる。アルケニル基の非限定的な例としては、ビニル、アリル、１−プロペン−２−イル、イソプロペニル、ブテニル、２−メチル−１−ブテン−３−イル、３−メチル−２−ブテン−１−イル、２，４−ノナジエン−２−イル、２−ｓｅｃ−ブチル−６−エチル−７−メチル−３−オクテン−３−イルなどが挙げられる。
【００２４】
シクロアルキル基としては、別々か、縮合しているか、又はこれらの組み合わせであってよい１以上の環を有する脂環式の一価炭化水素基が挙げられる。シクロアルキル基は、３〜２０個の炭素原子を有し、場合によっては低級アルキル、低級アルコキシ、低級アルキルスルフェニル、低級アルキルスルホニル、オキソ、ヒドロキシ、メルカプト、場合によってはアルキルによって置換されているアミノ、カルボキシ、場合によってはアルキルによって置換されているカルバモイル、場合によってはアルキルによって置換されているアミノスルホニル、ニトロ、シアノ、ハロゲン、又は低級ペルフルオロアルキルからなる群から選択される置換基で置換されている（多置換度が可能である）。シクロアルキル基の非限定的な例としては、シクロプロピル、シクロブチル、シクロペンチル、シクロヘキシル、シクロヘプチル、シクロオクチルなどが挙げられる、
シクロアルケニル基としては、別々か、縮合しているか、又はこれらの組み合わせであってよい１以上の環、並びに環内に少なくとも１つの炭素−炭素二重結合を有する脂環式の一価炭化水素基が挙げられる。シクロアルケニル基は、３〜２０個の炭素原子を有し、場合によっては低級アルキル、低級アルケニル、低級アルコキシ、低級アルキルスルフェニル、低級アルキルスルホニル、オキソ、ヒドロキシ、メルカプト、場合によってはアルキルによって置換されているアミノ、カルボキシ、場合によってはアルキルによって置換されているカルバモイル、場合によってはアルキルによって置換されているアミノスルホニル、ニトロ、シアノ、ハロゲン、又は低級ペルフルオロアルキルからなる群から選択される置換基で置換されている（多置換度が可能である）。シクロアルケニル基の非限定的な例としては、シクロプロペニル、シクロブテニル、シクロペンテニル、シクロヘキセニル、シクロヘプテニル、シクロオクテニルなどが挙げられる、
アルキレン、アルケニレン、シクロアルキレン、及びシクロアルケニレン基としては、それぞれ上記に開示したアルキル、アルケニル、シクロアルキル、及びシクロアルケニル基の二価の同等物が挙げられる。
【００２５】
他の態様においては、式（ＩＩＩ）のヒドロキシル化カルボン酸は、式（ＩＶ）：
ＣＨ３(ＣＨ２)ｍ［Ｒ７(ＯＨ)ｘ(ＣＯＯＨ)ｙ−１］(ＣＨ２)ｎ(ＣＯＯＨ)  （ＩＶ）
（式中、ｘ及びｙは上記に開示した通りであり、［Ｒ７(ＯＨ)ｘ(ＣＯＯＨ)ｙ−１］は［Ｒ７(ＯＨ)ｘ(ＣＯＯＨ)ｙ−ｚ］に関して上記に開示した通りであり、ここでｚは１である）
のヒドロキシル化カルボン酸から選択される。更に、ｍ及びｎは、独立して、０〜１９、より具体的には０〜１５、より具体的には０〜１０、より具体的には０〜８、より具体的には１〜８、更により具体的には２〜８である。一態様においては、ｍ＋ｎは１６以下である。１つの特定の態様においては、ｍ及びｎは独立して０〜１０であり、但しｍ＋ｎは１６以下である。他の特定の態様においては、ｍ及びｎは独立して０〜１０であり、但しｍ＋ｎは１４以下である。他の特定の態様においては、ｍ及びｎは独立して０〜１０であり、但しｍ＋ｎは１２以下である。他の特定の態様においては、ｍ及びｎは独立して０〜１０であり、但しｍ＋ｎは１０〜１４である。他の特定の態様においては、ｍ及びｎは独立して２〜１０であり、但しｍ＋ｎは１０〜１４である。更に他の特定の態様においては、ｍ及びｎは独立して２〜８であり、但しｍ＋ｎは１０〜１４である。
【００２６】
１つの有利な態様においては、式（ＩＶ）のヒドロキシル化カルボン酸は、式（Ｖ）：
【００２７】
【化１】
2011527726.tif 000002
【００２８】
のヒドロキシル化カルボン酸；
式（ＶＩ）：
【００２９】
【化２】
2011527726.tif 000003
【００３０】
のヒドロキシル化カルボン酸、及びこれらの組み合わせからなる群から選択される。
式（Ｖ）及び（ＶＩ）において、ｍ及びｎは上記に開示した通りである。１つの有利な態様においては、ｍ及びｎは独立して０〜１０であり、但しｍ＋ｎは１６以下である。
【００３１】
ここで用いる式（ＶＩ）を有する化合物はまた、式（ＶＩａ）：
【００３２】
【化３】
2011527726.tif 000004
【００３３】
（式中、ｍ及びｎは上記に開示した通りである）
を有する構造異性体も含む。
上記に開示したように、式（Ｉ）〜（ＶＩ）のヒドロキシル化カルボン酸はまた、そのエステル、塩、及び無水物、並びに上記の少なくとも１つを含む組み合わせも含む。
【００３４】
ヒドロキシル化カルボン酸のエステルは、（ＣＯＯＨ）基が（ＣＯＯＲ８）によって置き換えられている式（Ｉ）〜（ＶＩ）の任意のヒドロキシル化カルボン酸を含む。例えば、１つの非限定的な代表的な態様においては、式（Ｉ）のヒドロキシル化カルボン酸において１以上の（ＣＯＯＨ）基を（ＣＯＯＲ８）によって置き換えると、式（ＶＩＩ）：
（ＯＨ）ｘ（Ｒ１）（ＣＯＯＨ）ｙ―ｐ（ＣＯＯＲ８）ｐ    （ＶＩＩ）
（式中、Ｒ１、ｘ、及びｙは上記に開示した通りであり、ｐは１〜９、より具体的には１〜７、より具体的には１〜５、更により具体的には１〜３であり、但しｐはｙ以下である）
のヒドロキシル化カルボン酸エステルが生成する。同様に、（ＣＯＯＲ８）基による１以上の（ＣＯＯＨ）基の置換を、式（ＩＩ）〜（ＶＩ）の任意のヒドロキシル化カルボン酸において行うことができる。式（Ｉ）〜（ＶＩ）のヒドロキシル化カルボン酸においてどのくらい多くの（ＣＯＯＨ）基を（ＣＯＯＲ８）によって置き換えることができるかについて制限はない。
【００３５】
（ＣＯＯＲ８）中のＲ８基はＣ１〜５０ヒドロカルビル基である。ヒドロカルビル基は、炭素及び水素を含む置換又は非置換の一価の基を含み、脂肪族、芳香族、又は脂肪族と芳香族の組み合わせであってよい。ヒドロカルビル基はまた、酸素、窒素、イオウなどのような１以上のヘテロ原子を含んでいてもよく、ここでヘテロ原子は、置換基、例えばハロ、オキソ、複素環式、アルコキシ、ヒドロキシ、アリールオキシ、−ＮＯ２、カルボキシ、アシル、アミノ、アルキルアミノ、アミドなどのようなヘテロ原子含有基として存在していてよい。ヘテロ原子はまた、基の必須構造成分として、例えばエステル又はエーテル結合の形態で存在していてもよい。ヒドロカルビル基は、線状、分岐、又は環式（多環式を含む）、或いは上記の少なくとも１つを含む組み合わせであってよい。
【００３６】
１つの有利な態様においては、Ｒ８は式（ＶＩＩＩ）：
【００３７】
【化４】
2011527726.tif 000005
【００３８】
（式中、ｓは０〜１０、具体的には０〜８、より具体的には０〜６、更により具体的には０〜４である）
を有する。
【００３９】
ヒドロキシル化カルボン酸の塩としては、（ＣＯＯＨ）基、（ＯＨ）基、又はこれらの組み合わせの中の水素原子ＨがＭによって置き換えられている式（Ｉ）〜（ＶＩ）の任意のヒドロキシル化カルボン酸が挙げられる。例えば、１つの非限定的な代表的な態様においては、式（Ｉ）のヒドロキシル化カルボン酸において１以上の（ＣＯＯＨ）及び／又は（ＯＨ）基を（ＣＯＯＭ）及び／又は（ＯＭ）によって置き換えると、式（ＩＸ）：
（ＯＨ）ｘ―ｑ（ＯＭ）ｑ（Ｒ１）（ＣＯＯＨ）ｙ―ｐ（ＣＯＯＭ）ｐ    （ＩＸ）
（式中、Ｒ１、ｐ、ｘ、及びｙは上記に開示した通りであり、ｑは１〜９、より具体的には１〜７、より具体的には１〜５、更により具体的には１〜３であり、但しｑはｘ以下である）
のヒドロキシル化カルボン酸塩が生成する。同様に、（ＣＯＯＭ）及び／又は（ＯＭ）基による１以上の（ＣＯＯＨ）及び／又は（ＯＨ）基の置換を、式（ＩＩ）〜（ＶＩ）の任意のヒドロキシル化カルボン酸において行うことができる。式（Ｉ）〜（ＶＩ）のヒドロキシル化カルボン酸においてどのくらい多くの（ＣＯＯＨ）基及び／又は（ＯＨ）基を（ＣＯＯＭ）基及び／又は（ＯＭ）基によって置き換えることができるかについて制限はない。
【００４０】
１つの有利な態様においては、ヒドロキシル化カルボン酸の塩は、（ＣＯＯＨ）基中の水素原子ＨのみがＭによって置き換えられている式（Ｉ）〜（ＶＩ）の任意のヒドロキシル化カルボン酸を含む。
【００４１】
Ｍは、有機及び無機カチオンなどの、ヒドロキシル化カルボン酸と塩を形成することができる任意のカチオンであってよい。非限定的な例としては、アルカリ金属カチオン、アルカリ土類金属カチオン、遷移金属カチオン、アンモニウムカチオン、ホスホニウムカチオン、ピリジニウムカチオン、イミダゾリニウムカチオン、ピラゾリニウムカチオン、トリアゾリニウムカチオン、テトラゾリニウムカチオンなど、並びに上記の少なくとも１つを含む組み合わせが挙げられる。１つの有利な態様においては、Ｍは、アルカリ金属カチオン、アルカリ土類金属カチオン、アンモニウムカチオン、及びこれらの組み合わせからなる群から選択される。
【００４２】
ヒドロキシル化カルボン酸の無水物としては、（ＣＯＯＨ）基の対が１つのＨ２Ｏ分子の損失によって無水物官能基によって置き換えられている式（Ｉ）〜（ＶＩ）の任意のヒドロキシル化カルボン酸が挙げられる。例えば、１つの非限定的な代表的な態様においては、式（Ｉ）のヒドロキシル化カルボン酸において１以上の（ＣＯＯＨ）基の対を無水物官能基によって置き換えると、式（Ｘ）：
【００４３】
【化５】
2011527726.tif 000006
【００４４】
（式中、Ｒ１、ｘ、及びｙは上記に開示した通りであり、ｖは２、４、６、８、又は１０であり、但しｖはｙ以下である）
のヒドロキシル化カルボン酸無水物が生成する。同様に、無水物官能基による（ＣＯＯＨ）基の対の置換を、式（ＩＩ）〜（ＶＩ）の任意のヒドロキシル化カルボン酸において行うことができる。式（Ｉ）〜（ＶＩ）のヒドロキシル化カルボン酸においてどのくらい多くの（ＣＯＯＨ）基の対を無水物官能基によって置き換えることができるかについて制限はない。
【００４５】
１つの有利な態様においては、ヒドロキシル化カルボン酸の無水物は、式（ＸＩ）：
【００４６】
【化６】
2011527726.tif 000007
【００４７】
（式中、ｍ及びｎは上記に開示した通りである）
のものである。
１つの有利な態様においては、ここで用いるためのヒドロキシル化カルボン酸として、式（ＸＩＩ）〜（ＸＩＩＩ）：
【００４８】
【化７】
2011527726.tif 000008
【００４９】
（式中、ｍ及びｎは上記に開示した通りである）
を有する化合物、並びにそのエステル、その塩、その無水物、及びこれらの組み合わせの二重結合のヒドロキシル化の生成物が挙げられる。
【００５０】
ここで用いる式（ＸＩＩ）を有する化合物としては、式（ＸＩＩａ）：
【００５１】
【化８】
2011527726.tif 000009
【００５２】
（式中、ｍ及びｎは上記に開示した通りである）
を有する化合物も挙げられる。
式（ＸＩＩ）を有する化合物の非限定的な例は、式（ＸＸ）：
【００５３】
【化９】
2011527726.tif 000010
【００５４】
を有する脂肪酸を、無水マレイン酸と共に加熱して、式（ＸＸＩ）：
【００５５】
【化１０】
2011527726.tif 000011
【００５６】
を有する化合物、又は式（ＸＸＩａ）：
【００５７】
【化１１】
2011527726.tif 000012
【００５８】
（上式において、ｍ及びｎは上記に開示した通りである）
を有する化合物を生成させることによって製造することができる。
加熱は、約５０℃〜約３００℃の温度、より具体的には約１００℃〜約２５０℃の温度、更により具体的には約１５０℃〜約２２５℃の温度において行うことができる。１つの代表的な態様においては、加熱は約２００℃の温度において行う。加熱は、反応を完了させるのに十分な時間行うことができ、これは当業者によって容易に定めることができる。一般に、加熱は約１時間〜約２４時間、より具体的には約２時間〜約１５時間、更により具体的には約３時間〜約１０時間行うことができる。１つの代表的な態様においては、加熱は約６時間行う。
【００５９】
式（ＸＸＩ）を有する化合物は、加水分解によって酸に転化させることができる。加水分解は、当業者に利用できる任意の幾つかの方法を用いて行うことができる。一態様においては、加水分解は、水と式（ＸＸＩ）を有する化合物とを混合し、そして場合によっては式（ＸＩＩ）を有する化合物を生成させるのに有効な時間加熱することによって行う。
【００６０】
式（ＸＩＩ）を有する化合物の非限定的な具体例としては、上記に開示した方法にしたがって、式（ＸＸ）を有する化合物としてオレイン酸を用いることによって製造される式（ＸＸＩＩ）：
【００６１】
【化１２】
2011527726.tif 000013
【００６２】
を有する化合物、及び、上記に開示した方法にしたがって、式（ＸＸ）を有する化合物としてエライジン酸を用いることによって製造される式（ＸＸＩＩＩ）：
【００６３】
【化１３】
2011527726.tif 000014
【００６４】
を有する化合物が挙げられる。式（ＸＩＩ）を有する化合物を製造するために用いることができるモノ不飽和酸の他の非限定的な例としては、ミリストレイン酸、パルミトレイン酸、エルカ酸が挙げられる。
【００６５】
式（ＸＩＩＩ）を有する化合物としては、トール油脂肪酸、そのエステル、その塩、その無水物、及びこれらの組み合わせ、例えば米国特許第４，９２７，６６９号；同第５，２９２，４８０号；及び同第６，３９１，２５７号の各明細書に記載されているものが挙げられる。
【００６６】
式（ＸＩＩＩ）を有する化合物の非限定的な例としては、マレエート化トール油脂肪酸及びそれらの塩、例えばTENAX 2010、マレエート化トール油脂肪酸、ジエチレングリコールエステルの反応生成物及びそれらの塩、例えばTENAX WS-5520及びWS-5560、マレエート化トール油脂肪酸、エチレングリコールエステルの反応生成物及びそれらの塩、例えば、OCD 447及びWS-3520、並びにマレエート化トール油、例えばTENAX 2015が挙げられる（これらは、MeadWestvaco, Charleston, SC, USAから入手できる）。
【００６７】
式（ＸＩＩＩ）を有する化合物の非限定的な例は、共役二重結合を含む脂肪酸を無水マレイン酸と反応させ、次に上記に開示のように加水分解することによって製造することができる。上記の温度において、共役二重結合を含む脂肪酸を無水マレイン酸と共に加熱することができるが、１つの代表的な態様においては、これは約１００℃〜約１５０℃、より具体的には約１２０℃の温度において行う。
【００６８】
共役二重結合を含む脂肪酸の非限定的な例としては、リノール酸、α−リノレン酸、アラキドン酸、カタルプ酸、プニカ酸、ルメレン酸、α−パリナリン酸、β−パリナリン酸、ボセオペンタエン酸、エイコサペンタエン酸、ドコサヘキサエン酸、ルーメン酸、ジャカル酸、カレンジン酸、β−エレオステアリン酸、及びα−エレオステアリン酸が挙げられる。
【００６９】
式（ＸＩＩ）及び（ＸＩＩＩ）を有する化合物は、二重結合のヒドロキシル化など（しかしながらこれに限定されない）の当業者に利用できる幾つかの方法を用いて式（Ｖ）及び（ＶＩ）を有する化合物に転化させることができる。二重結合のヒドロキシル化は、ペルオキシド、四酸化オスミウムなどの存在下での酸化など（しかしながらこれらに限定されない）の任意の好適な方法を用いて行うことができる。二重結合をヒドロキシル化するのに用いる幾つかの非限定的な方法としては、米国特許第３，１６９，１３９号、日本国特許第６２２８１８４号、並びに英国特許第７７６７５７号及び同第７６９２００号明細書に記載されているものが挙げられる。
【００７０】
１つの有利な態様においては、それらの再生可能な性質のために、グリセリド油などの天然源から得られる不飽和脂肪酸を化合物（Ｖ）〜（ＶＩ）の合成において用いる。それから不飽和脂肪酸が得られる再生可能な天然源の非限定的な例としては、落花生、カシューナッツ、トウゴオマ、チア、トウモロコシ、綿実、麻、亜麻種子、ククイノキ、ニガー種子、菜種（キャノーラ）、大豆種子、アブラヤシ果実、オイチシカ、エゴマ、ケシ、ポヨク、ゴムノキ種子、ベニバナ、大豆、スティリンジア、ヒマワリ、タバコ種子、バターの木、クルミなどが挙げられる。
【００７１】
ヒドロキシル化カルボン酸としては、置換されている不飽和脂肪酸から製造されるものが更に挙げられる。置換不飽和脂肪酸の非限定的な例としては、ベルノリン酸、リシノレイン酸などが挙げられる。
【００７２】
ヒドロキシル化カルボン酸としては、ポリ不飽和酸から製造されるものが更に挙げられる。ポリ不飽和酸の非限定的な例としては、ピノレン酸、及びポドカルプ酸が挙げられる。
【００７３】
ヒドロキシル化カルボン酸は、熱伝達流体の全重量を基準として約０．０１重量％〜約１０重量％の量で熱伝達流体中に存在させることができる。具体的には、ヒドロキシル化カルボン酸は、熱伝達流体の全重量を基準として、約０．１重量％〜約５重量％、より具体的には約０．５重量％〜約４重量％、更により具体的には約１重量％〜約３重量％の量で熱伝達流体中に存在させることができる。
【００７４】
熱伝達流体には、アルコール、水、又はアルコールと水の組み合わせを更に含ませることができる。一般に脱イオン化又は脱塩していない水のものよりも低い導電率を示す脱イオン水、脱塩水、又は脱イオン及び脱塩した水を用いることが有利である。熱伝達流体は、濃縮熱伝達流体、則ち水を実質的に含まない、則ち熱伝達流体の全重量を基準として約０重量％の水を含む熱伝達流体であってよい。濃縮熱伝達流体は貯蔵及び輸送のために有利である。
【００７５】
濃縮熱伝達流体は、所望の場合には使用前に水と混合することができる。熱伝達流体は、他方においては、希釈熱伝達流体、則ちアルコール及び水を含む熱伝達流体であってよい。ここでは、濃縮及び希釈熱伝達流体の両方を用いることができる。一態様においては、熱伝達流体は濃縮熱伝達流体である、他の態様においては、熱伝達流体は希釈熱伝達流体である。
【００７６】
水は、熱伝達流体の全重量を基準として９０重量％以下の量で熱伝達流体中に存在させることができる。具体的には、水は、熱伝達流体の全重量を基準として、約０．１重量％〜約９０重量％、より具体的には０．５重量％〜約７０重量％、より具体的には約１重量％〜約６０重量％の量で熱伝達流体中に存在させることができる。１つの有利な態様においては、水は熱伝達流体の全重量を基準として約１重量％〜約４０重量％の量で存在する。他の有利な態様においては、熱伝達流体は水を実質的に含まない。
【００７７】
アルコールは、当業者に入手可能な任意のアルコール、より具体的には当業者によって凝固点降下剤として用いることができる任意のアルコールであってよい。一態様においては、アルコールは、一価アルコール、多価アルコール、又はこれらの組み合わせを含む。
【００７８】
一価アルコールの非限定的な例としては、メタノール、エタノール、プロパノール、ブタノール、フルフロール、テトラヒドロフルフロール、エトキシル化フルフロール、アルコキシアルカノール、例えばメトキシエタノールなど、及びこれらの組み合わせが挙げられる。多価アルコールの非限定的な例としては、エチレングリコール、ジエチレングリコール、トリエチレングリコール、プロピレングリコール、１，２−プロピレングリコール、１，３−プロピレングリコール、ジプロピレングリコール、ブチレングリコール、グリセロール、グリセロール−１，２−ジメチルエーテル、グリセロール−１，３−ジメチルエーテル、グリセロールのモノエチルエーテル、ソルビトール、１，２，６−ヘキサントリオール、トリメチロールプロパンなど、及びこれらの組み合わせが挙げられる。
【００７９】
一態様においては、アルコールは、メタノール、エタノール、プロパノール、ブタノール、フルフロール、テトラヒドロフルフロール、エトキシル化フルフロール、メトキシエタノール、エチレングリコール、ジエチレングリコール、トリエチレングリコール、１，２−プロピレングリコール、１，３−プロピレングリコール、ジプロピレングリコール、ブチレングリコール、グリセロール、グリセロール−１，２−ジメチルエーテル、グリセロール−１，３−ジメチルエーテル、グリセロールのモノエチルエーテル、ソルビトール、１，２，６−ヘキサントリオール、トリメチロールプロパン、又はこれらの組み合わせを含む。
【００８０】
一態様においては、アルコールはエチレングリコールを含む。他の態様においては、アルコールは１，３−プロピレングリコールを含む。更に他の態様においては、アルコールはエチレングリコール及び１，３−プロピレングリコールを含む。
【００８１】
熱伝達流体中に存在させることができるアルコールの量には制限はなく、運転温度、雰囲気温度などに基づいて当業者によって容易に定めることができる。一般に、アルコールは、熱伝達流体の全重量を基準として約０．１重量％〜約９９．９重量％の量で存在させることができる。具体的には、アルコールは、熱伝達流体の全重量を基準として、約１重量％〜約９９重量％、より具体的には約１０重量％〜約９７重量％、より具体的には約１５重量％〜約９５重量％、より具体的には約２０重量％〜約９０重量％、より具体的には約２５重量％〜約８５重量％、より具体的には約３０重量％〜約８０重量％、より具体的には約４０重量％〜約７０重量％、更により具体的には約５０重量％〜約６０重量％の量で熱伝達流体中に存在させることができる。１つの有利な態様においては、アルコールは、熱伝達流体の全重量を基準として約４０重量％〜約９９重量％の量で存在する。
【００８２】
熱伝達流体には腐食抑制剤を更に含ませることができる。ここで用いるための腐食抑制剤に対して特に制限はなく、アゾール、シロキサン、コロイダルシリカ、シリケート、カルボキシレート、トール油脂肪酸、ボレート、ナイトレート、ナイトライト、そのアルカリ若しくはアルカリ土類金属、アンモニウム、又はアミン塩など、又はこれらの組み合わせを含んでいてよい。
【００８３】
腐食抑制剤の量は、用途及び腐食抑制剤に応じて当業者によって容易に定めることができる。一般に、腐食抑制剤は、熱伝達流体の全重量を基準として、約０．０１重量％〜約１０重量％、具体的には約０．１重量％〜約８重量％、より具体的には約０．５重量％〜約４重量％の量で存在する。
【００８４】
アゾールとしては、複素環の部分として１〜４個の窒素原子を有する５員の複素環式化合物が挙げられる。アゾールベースの腐食抑制剤の非限定的な例としては、式（ＸＩＶ）〜（ＸＶＩＩ）：
【００８５】
【化１４】
2011527726.tif 000015
【００８６】
【化１５】
2011527726.tif 000016
【００８７】
（式中、Ｒ９は、独立して、水素原子、ＳＨ、ＳＲ１１、又はＣ１〜２０アルキル基であり、ここでＲ１１はＣ１〜２０アルキル基であり；Ｒ１０は、独立して、水素原子、ハロゲン原子、例えばＣｌ又はＢｒ、或いはＣ１〜２０アルキル基であり；Ｘは、独立して、Ｎ、ＣＳＨ、ＣＳＲ１１、ＣＨ、又はＣＲ１１であり；Ｙは、独立して、Ｎ、ＣＲ１１、又はＣＨである）
にしたがうピロール類、ピラゾール類、イミダゾール類、トリアゾール類、チアゾール類、及びテトラゾール類、並びにこれらの組み合わせが挙げられる。
【００８８】
アゾールの非限定的な例としては、ピロール、メチルピロール、ピラゾール、ジメチルピラゾール、ベンゾトリアゾール、トリルトリアゾール、メチルベンゾトリアゾール、例えば４−メチルベンゾトリアゾール及び５−メチルベンゾトリアゾール、ブチルベンゾトリアゾール、メルカプトベンゾチアゾール、ベンズイミダゾール、ハロ−ベンゾトリアゾール、例えばクロロ−メチルベンゾトリアゾール、テトラゾール、メチルテトラゾール、メルカプトテトラゾール、チアゾール、２−メルカプトベンゾチアゾールなどが挙げられる。一態様においては、アゾール化合物は、ベンゾトリアゾール、トリルトリアゾール、メルカプトベンゾチアゾール、又はこれらの組み合わせを含む。１つの代表的な態様においては、アゾールベースの腐食抑制剤は、ベンゾトリアゾール、トリルトリアゾール、又はこれらの組み合わせから選択される。
【００８９】
アゾールは、熱伝達流体の全重量を基準として、約１０重量％以下、具体的には約０．０１重量％〜約８重量％、より具体的には約０．０５重量％〜約４重量％の量で熱伝達流体中に存在させることができる。
【００９０】
コロイダルシリカは、熱伝達流体において腐食抑制剤として用いることができる任意のコロイダルシリカを含む。非限定的な例としては、約１ｎｍ〜約２００ｎｍ、より具体的には約１ｎｍ〜約１００ｎｍ、更により具体的には約１ｎｍ〜約４０ｎｍの平均粒径のコロイダルシリカが挙げられる。コロイダルシリカは腐食抑制剤として有利であり、熱伝達流体の熱伝達特性を有利に向上させることができる。理論に縛られることは望まないが、特定の平均粒径のシリカを用いると、熱伝達流体と接触するためのより大きな表面積を与えることによって熱伝達効率及び／又は熱容量が向上すると考えられる。
【００９１】
コロイダルシリカの非限定的な例としては、DuPont又はGrace DavidsonからのLUDOX、Akzo Nobel又はEka ChemicalsからのNYACOL又はBINDZIL、Nissan ChemicalからのSNOWTEXが挙げられる。コロイダルシリカの他の供給者としてはNalcoなどが挙げられる。
【００９２】
コロイダルシリカは、熱伝達流体の全重量を基準として、Ｓｉの当量濃度で、約１０，０００重量ｐｐｍ以下、より具体的には約１ｐｐｍ〜約２０００ｐｐｍ、更により具体的には約１０ｐｐｍ〜約６００ｐｐｍの量で熱伝達流体中に存在させることができる。
【００９３】
シロキサンとしては、ケイ素−炭素結合を含むポリシロキサン及び有機シラン化合物が挙げられる。一態様においては、ポリシロキサンとしては式（ＸＶＩＩＩ）：
［（Ｒ１２）３−Ｓｉ］［ＯＳｉ（Ｒ１２）２］ｘ［ＯＳｉ（Ｒ１２）３］    （ＸＶＩＩＩ）
（式中、Ｒ１２は、独立して、アルキル基又はＣ１〜２００ポリアルキレンオキシドコポリマーであり；ｘは０〜１００である）
を有するものが挙げられる。１つの代表的な態様においては、Ｒ１２は、Ｃ２〜６アルキレンオキシド単位、より具体的にはＣ２〜４アルキレンオキシド単位を含むポリアルキレンオキシドコポリマーを含む。それに関する構造が未知である商業的に入手できるポリシロキサンなどの同様の基本構造を有するが式（ＸＶＩＩＩ）の範囲外であるポリシロキサンを用いることもできる。
【００９４】
商業的に入手できるポリシロキサンの非限定的な例としては、GE Silicones／OSi SpecialtiesからのSILWETシロキサン、及びDow Corning又は他の供給者から入手できる他の同様のシロキサン−ポリエーテルコポリマーが挙げられる。１つの代表的な態様においては、シロキサンベースの腐食抑制剤としては、SILWET L-77、SILWET L-7657、SILWET L-7650、SILWET L-7600、SILWET L-7200、SILWET L-7210などが挙げられる。
【００９５】
有機シラン化合物は、水の存在下で加水分解してシラノール、則ちケイ素ヒドロキシドを含む化合物を形成することができるケイ素−炭素結合を含むものである。有機シラン化合物は、式（ＸＩＸ）：
Ｒ１３Ｓｉ（ＯＲ１４）３      （ＸＩＸ）
(式中、Ｒ１３及びＲ１４は、独立して、Ｃ１〜３０脂肪族（脂環式を含む）基又は芳香族基である）
のものを含む。一態様においては、Ｒ１３はＣ１〜２０のアルキル基（シクロアルキル基を含む）、アルコキシ基、及びアルキレン基から選択され、アミノ基、エポキシ基などのような官能基の形態でＮ、Ｓなどのようなヘテロ原子を含んでいてよく、Ｒ１４は、独立してＣ１〜６アルキル基から選択される。それに関する構造が未知であるか、又はこの式の範囲外である有機シラン化合物も、シロキサンベースの腐食抑制剤として用いるのに好適である可能性がある。
【００９６】
商業的に入手できる有機シラン化合物の非限定的な例としては、GE Silicones／OSi Specialties及び他の供給者からのSILQUEST及びFORMASIL界面活性剤が挙げられる。代表的な態様においては、シロキサンベースの腐食抑制剤は、GE Silisonces、Osi Specialties、又は他の供給者から入手できるFORMASIL 891、FORMASIL 593、FORMASIL 433、SILQUEST Y-5560（ポリアルキレンオキシドアルコキシシラン）、SILQUEST A-186（２−（３，４−エポキシシクロヘキシル）エチルトリメトキシシラン）、SILQUEST A-187（３−グリシドキシプロピルトリメトキシシラン）、又は他のSILQUEST有機シラン化合物などを含む。
【００９７】
ここで用いるための有機シラン化合物の他の非限定的な例としては、３−アミノプロピルトリエトキシシラン、Ｎ−２−(アミノエチル）−３−アミノプロピルトリメトキシシラン、オクチルトリエトキシシラン、ビニルトリエトキシシラン、ビニルトリメトキシシラン、メチルトリエトキシシラン、３−メタクリルオキシプロピルトリメトキシシラン、３−メルカプトプロピルトリメトキシシラン、イソブチルトリメトキシシラン、フェニルトリメトキシシラン、メチルトリメトキシシラン、及び上記と同様の構造を有するが、炭素原子の数が異なる有機シラン化合物が挙げられる。
【００９８】
シロキサンベースの腐食抑制剤は、熱伝達流体の全重量を基準として、約１０重量％以下、より具体的には約０．０２重量％〜約２重量％の量で熱伝達流体中に存在させることができる。
【００９９】
ここで用いる腐食抑制剤には、シリケート安定化シリコーンと組み合わせて、Ｓｉ当量濃度で３０重量ｐｐｍ〜２０００重量ｐｐｍの量で存在するシリケートを含ませることもできる。シリケート安定化シリコーンの非限定的な例としては、Silquest Y-5560有機シラン、ナトリウム（トリヒドロキシシリル）プロピルメチルホスホネート、及び米国特許第４，６２９，６０２号明細書に開示されているもののような有機ホスホシリコーン化合物（則ち、Ｏ１．５Ｓｉ−Ｃ３Ｈ６−Ｐ（Ｏ）（Ｏ−Ｎａ＋）（ＯＣ２Ｈ５）が挙げられる。一態様においては、シリケート：シリコーンの比は約２０：１〜約１：２（重量比）である。
【０１００】
シリケートは、無機シリケート及び有機シリケートを含む。無機シリケートは一般的な約分式：ＳｉＯｘにしたがい、イオン性又は中性、ポリマー性又は非ポリマー性であってよい。無機シリケートの非限定的な例としては、ＳｉＯ２、ＳｉＯ４４−、Ｓｉ２Ｏ７６−、ＳｉＯ３２−など、及びこれらの組み合わせが挙げられる。無機シリケートにはまた、水中に溶解するとアルカリ性であり、無機シリケートの溶解を助ける金属酸化物を含ませることもできる。金属酸化物と無機シリケートとの重量比は、一般に約２：１〜約１：５、具体的には約１：１〜約１：３．５である。水中に溶解するとアルカリ性である金属酸化物の非限定的な例としては、Ｎａ２Ｏ及びＫ２Ｏのようなアルカリ金属酸化物、ＭｇＯ及びＣａＯのようなアルカリ土類金属酸化物など、並びにこれらの組み合わせが挙げられる。
【０１０１】
ここで用いるための無機シリケートは、例えばPhiladelphia Quartz Companyから得ることができ、RU SILICATE（ケイ酸ナトリウム、Ｎａ２Ｏ：ＳｉＯ２＝１：２．４）及びKASIL 6（ケイ酸カリウム、Ｋ２Ｏ：ＳｉＯ２＝１：２．１）の商品名で販売されている。
【０１０２】
有機シリケートとしては、式：Ｓｉ（ＯＲ１５）４（ここで、Ｒ１５は、独立して、Ｃ１〜３６のアルキル、アリール、アルコキシアルキル、アルコキシアリール、ヒドロキシアルコキシ、及びこれらの組み合わせからなる群から選択される）を有するものなど（しかしながらこれらに限定されない）のシリケートエステルが挙げられる。有利には、Ｃ１〜２０アルキル基を有するテトラアルキルオルトシリケートエステル（例えば、テトラメチルオルトシリケート、テトラエチルオルトシリケートなど）を用いることができる。シリケートエステルは、熱伝達流体の全重量を基準として、約５重量％以下、有利には約０．０１重量％〜約５重量％の量で熱伝達流体中に存在させることができる。
【０１０３】
シリケート、シリコーン、又はシロキサンのポリマーを腐食抑制剤として用いることもできる。これらとしては、シリケート含有熱伝達流体の当該技術において一般的に用いられているホスホネート−シリケート、スルホネート−シリケート、カルボキシレート−シリケート、及びシロキサン−シリケートコポリマーが挙げられる。これらのコポリマーは、予め形成することができ、或いは水溶性シリケートと、水溶性ホスホネート、スルホネート、又はシロキサンとを、水溶液中、雰囲気温度において混合することによってその場で形成することができる。これらのコポリマーは、それぞれがホスホネート、スルホネート、カルボキシレート等の基に加えてケイ素を含む点で「シロキサン−シリケート」コポリマーと一般的に呼ばれる。１つの有利な態様においては、シロキサン−シリケートコポリマーは約７〜約１１のｐＨにおいて水溶性シリケートのゲル化傾向を実質的に抑制するので、シロキサン−シリケートコポリマーによって、単純な金属シリケートを用いる場合よりも向上したロウ付け金属の腐食抑制が与えられる。
【０１０４】
ここで用いることができる他の好適なシリコーン（又はシロキサン化合物）或いはシロキサン−シリケートコポリマーとしては、米国特許第３，３４１，４６９号；同第３，３３７，４９６号；同第３，３１２，６２２号；同第３，２４８，３２９号；同第３，１９８，８２０号；同第３，２０３，９６９号；同第４，０９３，６４１号；同第４，２８７，０７７号；同第４，３３３，８４３号；同第４，３５２，７４２号；同第４，３５４，００２号；同第４，３６２，６４４号；同第４，３７０，２５５号；同第４，６２９，６０２号；同第４，７０１，２７７号；及び同第４，７７２，４０８号；並びに米国特許公開２００６／００１７０４４号の各明細書に記載されているものが挙げられるが、これらに限定されない。
【０１０５】
ここで用いるためのカルボキシレートの非限定的な例としては、飽和及び不飽和の脂肪族、及び芳香族の、モノ、ジ、及びトリカルボン酸、並びにその塩及び異性体、並びにこれらの任意の組み合わせが挙げられる。具体的には、カルボキシレートとしては、Ｃ４〜２５の、モノ、ジ、及びトリカルボン酸が挙げられる。上記の非限定的な例としては、２−エチルヘキサン酸、ネオデカン酸、安息香酸、ｐ−トルイル酸、ｐ−エチル安息香酸、ｔ−ブチル安息香酸、ヒドロキシ安息香酸、メトキシ安息香酸、ドデカン二酸、ウンデカン二酸、及びセバシン酸、並びにこれらのエステル、これらの塩、これらの無水物、及びこれらの組み合わせが挙げられる。１つの有利な態様においては、カルボキシレートとしは、ヒドロキシ安息香酸、アルキル安息香酸、式：Ｒ１６Ｏ（Ｃ６Ｈ４）ＣＯＯＨ（ここで、Ｒ１６は、Ｃ１〜Ｃ５アルキル基である）のアルコキシ安息香酸、桂皮酸、式：Ｒ１７（Ｃ６Ｈ４）ＣＨＣＯＯＨ（ここで、Ｒ１７はＣ１〜５アルキル基又はアルコキシ基である）のアルキル桂皮酸、アルコキシ桂皮酸、又はこれらの組み合わせが挙げられる。
【０１０６】
カルボキシレートは、熱伝達流体の全重量を基準として、約０．０１重量％〜約１０重量％、より具体的には約０．１重量％〜約８重量％、更により具体的には約１重量％〜約５重量％の量で存在させることができる。
【０１０７】
１つの代表的な態様においては、腐食抑制剤は、熱伝達流体の全重量を基準として約１重量％〜約５重量％の、Ｃ６〜２４の芳香族及び脂肪族の、モノ、ジ、及びトリカルボン酸、そのエステル、その塩、その無水物、及びこれらの組み合わせから選択されるカルボキシレートを含む。
【０１０８】
他の代表的な態様においては、腐食抑制剤は、熱伝達流体の全重量を基準として、約０．０５重量％〜約１．５重量％のアゾール化合物、並びに、約０．２重量％〜約５重量％の、Ｃ６〜２４の芳香族及び脂肪族の、モノ、ジ、及びトリカルボン酸から選択されるカルボン酸、そのエステル、その塩、その無水物、及びこれらの組み合わせを含む。
【０１０９】
トール油脂肪酸の非限定的な例としては、上記に開示の式（ＸＩＩＩ）のものが挙げられる。トール油脂肪酸は、熱伝達流体の全重量を基準として約１０重量％以下、より具体的には約０．０２〜約７重量％の量で存在させることができる。
【０１１０】
熱伝達流体には、モリブデン、タングステン、バナジウム、リン、又はアンチモン、及びこれらの組み合わせのオキシアニオンを更に含ませることができる。１つの代表的な態様においては、オキシアニオンは、モリブデン、リン、及びこれらの組み合わせから選択される。
【０１１１】
一般に、かかるオキシアニオンの水溶性の塩を用いることができる。具体例としては、モリブデン酸、タングステン酸、メタタングステン酸、バナジウム酸、メタバナジウム酸、オルトリン酸、ピロリン酸、ヘキサメタリン酸、ポリリン酸、リン酸、アンチモン酒石酸などのアルカリ金属、アルカリ土類金属、及びアンモニウム塩が挙げられる。一態様においては、水溶性の塩としては、アルカリ金属塩、アンモニウム塩、及びこれらの組み合わせが挙げられる。アンチモン酒石酸塩の非限定的な例としては、式：Ｅ（ＳｂＯ）Ｃ４Ｈ４Ｏ６のもの、及び水和物：Ｅ（ＳｂＯ）Ｃ４Ｈ４Ｏ６・ｗＨ２Ｏ（ここで、Ｅは、アルカリ金属カチオン、アルカリ土類金属カチオン、アンモニウムカチオン、又はこれらの組み合わせであり；ｗは水和量であり、いかなる数にも限定されないが、一般に０〜２０、具体的には１〜１０、より具体的には１〜５、より具体的には１〜３などであってよい）が挙げられる。その他の塩及びそれらの組み合わせを用いることもできる。一態様においては、アルカリ金属及びアンモニウムの塩を用いる。
【０１１２】
ここで用いるのに好適なオキシアニオンの非限定的な例としては、North Metal & Chemical Company（York, PA, USA）から入手できるもののようなモリブデン酸ナトリウム、モリブデン酸ナトリウム二水和物、タングステン酸ナトリウム、及びメタタングステン酸アンモニウム；Climax Molybdenum Company（Phoenix, AZ, USA）から入手できるもののようなモリブデン酸ナトリウム、及びジ、ヘプタ、又はオクタモリブデン酸のアンモニウム塩；Alcan Chemicals（Stamford, CT, USA, Rio Tinto Alcanの一事業部）から入手できるもののようなバナジウム酸又はメタバナジウム酸のカリウム又はナトリウム塩、モリブデン酸ナトリウム、メタタングステン酸アンモニウム、及びパラタングステン酸アンモニウム；Innophos, Inc.（Cranbury, NJ, USA）又はICL Performance Products LP（St. Louis, MO, USA）及び他の供給者から入手できるもののようなリン酸のカリウム又はナトリウム塩、例えばリン酸モノナトリウム又はモノカリウム塩、リン酸のジナトリウム又はジカリウム塩、リン酸のトリナトリウム又はトリカリウム塩、ピロリン酸のテトラナトリウム又はテトラカリウム塩、ピロリン酸ナトリウム、トリポリリン酸のナトリウム又はカリウム塩、ポリリン酸カリウム、ヘキサメタリン酸ナトリウム、及びリン酸、ポリリン酸並びに他のリン酸塩、例えばアルカリ土類リン酸塩、及びリン酸アンモニウム；並びに、Sigma-Aldrich (St. Louis, MO, USA）又はLabChem, Inc.（Pittsburg, PA, USA）から入手できるもののような酒石酸カリウムアンチモン（カリウムアンチモニル酒石酸塩）、アンチモン酸カリウム、及びヘキサヒドロキシアンチモン酸カリウム；が挙げられる。他の供給者からの同様のオキシアニオン製品を用いることもできる。
【０１１３】
モリブデン、タングステン、バナジウム、リン、アンチモン、又はこれらの組み合わせのオキシアニオンは、熱伝達流体の全重量を基準として、約０．０１重量％〜約１０重量％、具体的には約０．０５重量％〜約８重量％、更により具体的には約０．１重量％〜約５重量％の量で存在させることができる。
【０１１４】
１つの有利な態様においては、リンのオキシアニオンと、モリブデン、タングステン、バナジウム、アンチモン、及びこれらの組み合わせのオキシアニオンから選択されるオキシアニオンとの組み合わせを用いることができる。これにより、リンのオキシアニオンと、モリブデン、タングステン、バナジウム、及びアンチモンのオキシアニオンから選択されるオキシアニオンとの間の相乗効果が観察される。リンのオキシアニオンは、熱伝達流体の全重量を基準として、約０．０１重量％〜約３重量％、具体的には約０．１重量％〜約２重量％、より具体的には約０．２重量％〜約１重量％の量で用いることができ、モリブデン、タングステン、バナジウム、及びアンチモンのオキシアニオンの組み合わせも、熱伝達流体の全重量を基準として、約０．０１重量％〜約３重量％、具体的には約０．１重量％〜約２重量％、より具体的には約０．２重量％〜約１重量％の量で用いることができる。
【０１１５】
熱伝達流体にはまた、それらが熱伝達流体に悪影響を与えない限りにおいて、着色剤、消泡剤、湿潤剤、殺生物剤、ｐＨ調節剤、緩衝剤、苦味剤、分散剤、又は当業者によって熱伝達流体において用いられる任意の他の通常の成分、或いはこれらの組み合わせのような更なる添加剤を、熱伝達流体の全重量を基準として１０重量％以下の量で含ませることができる。
【０１１６】
熱伝達流体は、成分を一緒に混合し、得られる混合物を均一化することによって製造することができる。これは、当業者に利用できる任意の好適な方法を用いて行うことができる。一般に、有利にはまずアルコールと水を一緒に混合する。次に、他の成分及び添加剤を、混合及び適当に撹拌することによってアルコール−水混合物に加える。しかしながら、任意の添加順序を用いることができる。
【０１１７】
一態様においては、上記に開示した熱伝達流体を、熱伝達流体と共に用いるための添加剤パッケージとして用いることができる。則ち、式（Ｉ）のヒドロキシル化カルボン酸を含む添加剤パッケージを用いて、水及び／又はアルコールを含む他の熱伝達流体を処理することができる。他の熱伝達流体は、式（Ｉ）のヒドロキシル化カルボン酸の利益を享受する任意の熱伝達流体であってよい。
【０１１８】
したがって、一態様は、式（Ｉ）のヒドロキシル化カルボン酸を含む添加剤パッケージを熱伝達流体と混合することを含む、熱伝達流体の処理方法である。熱伝達流体は水及び／又はアルコールを含む。
【０１１９】
一態様においては、添加剤パッケージは水及び／又はアルコールを含まない。この態様においては、添加剤パッケージは、式（Ｉ）のヒドロキシル化カルボン酸に加えて、上記に開示した任意の成分（水及び／又はアルコールを除く）を含む。成分は、最終混合物において量が上記に記載のものとなるような任意の好適な量で用いることができる。
【０１２０】
成分の量は、当業者によって容易に定めることができる。例えば、合計で２０００ｇの熱伝達流体組成物を含む熱伝達システムにおいて添加剤パッケージを用い、式（Ｉ）のヒドロキシル化カルボン酸の所望量が熱伝達流体の全重量を基準として約０．０１〜約１０重量％である場合には、式（Ｉ）のヒドロキシル化カルボン酸の所望量は、（ヒドロキシル化カルボン酸の量）／（ヒドロキシル化カルボン酸の量＋２０００ｇ）×１００＝約０．０１〜約１０として計算することができ、この結果、合計で２０００ｇの熱伝達流体組成物中の式（Ｉ）のヒドロキシル化カルボン酸の量は約０．２２〜約２２２ｇとなる。
【０１２１】
一般に、式（Ｉ）のヒドロキシル化カルボン酸は、添加剤パッケージの全重量を基準として、約１重量％〜約１００重量％、具体的には約１０重量％〜約９０重量％、より具体的には約２０重量％〜約８０重量％、より具体的には約３０重量％〜約７０重量％、更により具体的には約４０重量％〜約６０重量％の量で添加剤パッケージ中に存在させることができる。１つの有利な態様においては、オキシアニオンは添加剤パッケージの全重量を基準として約２０重量％〜約６０重量％の量で存在する。
【０１２２】
腐食抑制剤は、添加剤パッケージの全重量を基準として、約１重量％〜約９９重量％、具体的には約１０重量％〜約９０重量％、より具体的には約２０重量％〜約８０重量％、より具体的には約３０重量％〜約７０重量％、更により具体的には約４０重量％〜約６０重量％の量で添加剤パッケージ中に存在させることができる。１つの有利な態様においては、腐食抑制剤は添加剤パッケージの全重量を基準として約４０重量％〜約８０重量％の量で存在する。
【０１２３】
上記に開示した着色剤、消泡剤、湿潤剤、殺生物剤、苦味剤、分散剤、又はこれらの組み合わせのような熱伝達流体において一般的に用いられる更なる添加剤は、添加剤パッケージの全重量を基準として５０重量％以下の量で添加剤パッケージ中において用いることができる。
【０１２４】
添加剤パッケージは、固体、粉末、ゲル、カプセルなどのような任意の好適な形態で用いることができ、速放性パッケージ又は徐放性パッケージであってよい。
１つの有利な態様においては、添加剤パッケージは濃縮添加剤溶液として用いる。濃縮添加剤溶液用の溶媒は任意の好適な溶媒であってよい。有利には、溶媒は上記記載の水及び／又はアルコールの任意のものであってよい。例えば、添加剤パッケージは、水、エチレングリコール、ジエチレングリコール、１，２−プロピレングリコール、１，３−プロピレングリコール、グリセロール、又はこれらの組み合わせの濃縮溶液として用いることができる。
【０１２５】
濃縮添加剤溶液として用いる場合には、溶媒は、添加剤パッケージの全重量を基準として約０．５〜約９０重量％の量で存在させることができる。より具体的には、溶媒は、添加剤パッケージの全重量を基準として、約１重量％〜約４０重量％、より具体的には約２重量％〜約３０重量％、更により具体的には約３重量％〜約２０重量％の量で存在させることができる。
【０１２６】
一態様においては、熱伝達システムは、上記に開示した熱伝達流体及び／又は添加剤パッケージを含む。熱伝達システムは、アルミニウム部品、マグネシウム部品、又はこれらの組み合わせを含む。熱伝達流体は、アルミニウム部品及び／又はマグネシウム部品と流体連絡する。熱伝達流体は、キャビテーション、腐食、キャビテーション腐食、ロウ付け、孔食、隙間腐食、及び／又はロウ付けプロセス中に用いられる残留フラックスなどによる腐食を減少及び／又は排除するのに有効である。
【０１２７】
ここで用いる「アルミニウム」とは、アルミニウム金属、その合金、又はこれらの組み合わせを指し、「マグネシウム」とは、マグネシウム金属、その合金、又はこれらの組み合わせを指す。
【０１２８】
ここで用いる「アルミニウム部品」とは、アルミニウム及び／又はアルミニウム合金を含む熱伝達システムの部品を指す。この部品は、単一のアルミニウム部品、又は一緒に接合された少なくとも１つのアルミニウム部品を含む幾つかの部品を含む。この部品は、ロウ付けを用いて一緒に接合することができる。一態様においては、ロウ付けは、ハロゲン化物アニオンを含むフラックス剤の存在下での制御雰囲気ロウ付け（ＣＡＢ）を用いて行う。他の態様においては、フラックス剤はフッ化物及び塩化物アニオンを含む。１つの有利な態様においては、フラックス剤はフッ化物アニオンを含む。
【０１２９】
ここで用いる「マグネシウム部品」とは、マグネシウム及び／又はマグネシウム合金を含む熱伝達システムの部品を指す。この部品は、単一のマグネシウム部品、又は一緒に接合された少なくとも１つのマグネシウム部品を含む幾つかの部品を含む。この部品は、ロウ付けを用いて一緒に接合することができる。一態様においては、ロウ付けは、ハロゲン化物アニオンを含むフラックス剤の存在下での制御雰囲気ロウ付け（ＣＡＢ）を用いて行う。他の態様においては、フラックス剤はフッ化物及び塩化物アニオンを含む。１つの有利な態様においては、フラックス剤はフッ化物アニオンを含む。
【０１３０】
熱伝達システムは、アルミニウム及び／又はマグネシウム部品を含む任意のアセンブリであってよい。このアセンブリは、内燃エンジン及び代替動力源を含んでいてよい。代替動力源の非限定的な例としては、電池、燃料電池、太陽電池又は太陽電池パネル、光電池、及び蒸気の圧縮、天然ガス、ディーゼル、水素によって動く内燃エンジンなどが挙げられる。一態様においては、代替動力源としては、清浄な熱伝達システム、則ち熱伝達流体中のイオン種の濃縮に寄与しない熱伝達システムを用いて運転される内燃エンジンによって駆動される装置が挙げられる。このような代替動力源は、単独で、或いはハイブリッド自動車において用いられるもののように組み合わせて用いることができる。
【０１３１】
かかる代替動力源を含むアセンブリとしては、伝統的に、自動車、船舶、発電機、光源、航空機及び飛行機、列車又は機関車、軍事用輸送車両、定置エンジンなどのような内燃エンジンによって駆動することができる任意の物品が挙げられる。アセンブリはまた、電動機、ＤＣ／ＤＣコンバーター、ＤＣ／ＡＣインバーター、発電機、及び他のパワーエレクトロニクス装置などのような代替動力源の適切な利用のために必要な更なるシステム又は装置も含む。アセンブリにはまた、電動機、ＤＣ／ＤＣコンバーター、ＤＣ／ＡＣインバーター、発電機、及び他のパワーエレクトロニクス並びに電気装置などのような代替動力源の適切な利用のために必要なシステム又は装置も含ませることができる。
【０１３２】
開示したアセンブリは、代替動力源及び熱伝達流体と熱連絡している熱伝達システムを含む動力源を含む。一態様においては、熱伝達システムは、熱伝達流体用の流路を画定する循環ループを含む。
【０１３３】
図１に示す代表的な態様においては、動力源は内燃エンジンであり、熱伝達システムはアルミニウム及び／又はマグネシウム部品を含む。図１は、熱伝達システムがアルミニウム及び／又はマグネシウム部品を含む代表的な態様を示しているが、これは、銅、炭素鋼、真鍮などのような他の金属又は合金を更に含ませることができることが理解されるであろう。複数の金属又は合金の組み合わせを用いることもできる。
【０１３４】
而して、ここで図１を参照すると、代表的な熱伝達システム１０は、熱伝達流体貯留槽１２，ポンプ１４、エンジン１６、ヒーターコア１８、サーモスタット２０，ラジエーターキャップ２２、ラジエーター２４、及びオーバーフロータンク２６を含む。熱伝達システムには、パイプ３０のような導管、バルブ（図示せず）、センサー（図示せず）、ポンプ、及び他の部品を更に含ませることができる。熱伝達システム１０の部品のそれぞれに、アルミニウム及び／又はマグネシウム部品を含ませることができる。１つの代表的な態様においては、熱伝達システム１０の部品の少なくとも１つが、アルミニウム及び／又はマグネシウム部品を含む。他の代表的な態様においては、ポンプ１４、エンジン１６，ヒーターコア１８、サーモスタット２０、ラジエーターキャップ２２、ラジエーター２４、及びオーバーフロータンク２６のそれぞれが、アルミニウム及び／又はマグネシウム部品を含む。他の代表的な態様においては、１以上の部品はアルミニウム及び／又はマグネシウム部品を含み、１以上の他の部品はアルミニウム及び／又はマグネシウム部品を含まない。
【０１３５】
貯留槽１２は、流体が循環していない際に、熱伝達流体を望ましくない汚染物質を含まない雰囲気中に保持する。一態様においては、貯留槽１２はプラスチックを含む。
ポンプ１４は、熱伝達システム１０を通して流体を流動させる。具体的には、ポンプ１４は、流体を、貯留槽から、エンジン１６のエンジンブロックを通し、則ちエンジンシリンダーに近接して配置されているエンジンの内部流路の第１の組を通し、ヒーターコア１８を通し、エンジンブロックの内部流路の他の組を通して、サーモスタット２０に送る。サーモスタット２０の位置によって、流体を次に、ラジエーターキャップ２２、ラジエーター２４、次にポンプ１４か、或いはポンプ１４に直接送る。ポンプ１４は、エンジン１６のクランクシャフトに接続されているベルトによって駆動される遠心ポンプであってよい。ポンプ１４は、エンジン１６が運転されている際に熱伝達流体を熱伝達システム１０を通してポンプ移送する。ポンプ１４には、インペラー及びシャフトを含む回転部品を含ませることができる。ポンプ１４には、ケーシング、ケーシングカバー、及びベアリングを含む固定部品を更に含ませることができる。代表的な態様においては、ポンプの回転部品及びポンプのケーシング部品の両方がアルミニウム及び／又はマグネシウム部品を含む。他の代表的な態様においては、回転部品、ケーシング部品、又は回転部品及びケーシング部品の従部品のみがアルミニウム及び／又はマグネシウム部品を含む。
【０１３６】
エンジン１６は、エンジンブロック、シリンダー、シリンダー接続ロッド、及びクランクシャフトを含む。エンジンブロックは、それを通して配置されている内部流路を含む。内部流路は、エンジンブロック内に鋳造するか又は機械加工することができる。熱伝達流体をエンジンの内部流路を通して送って、エンジンから熱を伝達させることができる。これらの流路は熱伝達を導き、それによって流体によってエンジンから熱を伝達除去してエンジンの性能を最適化することができる。
【０１３７】
代表的な態様においては、金属製のエンジン部品はアルミニウム及び／又はマグネシウム部品を含む。具体的には、エンジンブロック、シリンダー、シリンダー接続ロッド、及びクランクシャフトは、アルミニウム及び／又はマグネシウム部品を含む。他の代表的な態様においては、幾つかのエンジン部品がアルミニウム及び／又はマグネシウム部品を含み、一方、他のエンジン部品はアルミニウム及び／又はマグネシウム部品を含まない。例えば、エンジンブロックにアルミニウム及び／又はマグネシウム部品を含ませることができ、一方、シリンダー、シリンダー接続ロッド、及びクランクシャフトには鋼を含ませることができる。
【０１３８】
ヒーターコア１８は、車両の室内を加熱しながら熱伝達流体を冷却する。ヒーターコア１８は、大きな内表面積及び外表面積を有する一連の薄い平坦なチューブを含んでいて、熱を熱伝達流体から有効に伝達除去することができるようになっている。代表的な態様においては、ヒーターコア１８は、チューブなどのアルミニウム及び／又はマグネシウム部品を含む。他の代表的な態様においては、加熱コアは他の接合法によって一緒に接合されているチューブを含み、或いは加熱コアは単一のユニットとして鋳造することができる。ヒーターコアを通して空気を強制的に送って、熱伝達流体の冷却速度を増加させることができる。
【０１３９】
サーモスタット２０は、熱伝達流体温度の温度指示値を測定して、熱伝達流体をラジエーター又はポンプに選択的に送る。サーモスタット２０によって、熱伝達流体を、熱伝達流体の温度が選択された温度以上である場合にはラジエーターに、熱伝達流体の温度が選択された温度未満である場合にはポンプに送る。サーモスタットは、入口部分、ラジエーター出口部分、ラジエーターバイパス出口部分、及びバルブ部分を有する。単一のハウジング部材によって、入口部分、ラジエーター出口部分、及びラジエーターバイパス出口部分を画定することができる。バルブ部分を単一のハウジング部材内に配置して、入口部分とラジエーター出口部分及びラジエーターバイパス出口部分の両方との間の選択的な連絡を与える。バルブが閉止位置にある際は、サーモスタットによって熱伝達流体がポンプに直接送られる。バルブが開放位置にある際は、サーモスタットによって熱伝達流体がラジエーターを通して送られる。代表的な態様においては、サーモスタットのバルブ部分及びサーモスタットのハウジング部材はアルミニウム及び／又はマグネシウム部品を含む。他の代表的な態様においては、ハウジングのみ又はバルブ部分のみがアルミニウム及び／又はマグネシウム部品を含む。
【０１４０】
ラジエーターキャップ２２は、熱伝達システムを密封し、熱伝達流体を選択された圧力に保持して熱伝達流体が沸騰するのを抑止する。代表的な態様においては、ラジエーターキャップ２２はアルミニウム及び／又はマグネシウム部品を含む。
【０１４１】
ラジエーター２４は熱伝達流体を冷却する。ラジエーター２４には、大きな内表面積及び外表面積を有する一連の薄い平坦なチューブを含ませることができ、これによって熱を熱伝達流体から有効に伝達することができるようになっている。代表的な態様においては、ラジエーター２４は、チューブなどのアルミニウム及び／又はマグネシウム部品を含む。他の代表的な態様においては、ラジエーターは他の接合法によって一緒に接合されているチューブを含ませることができ、或いは単一のユニットとして鋳造することができる。ラジエーターを通して空気を強制的に送って、熱伝達流体の冷却速度を増加させることができる。
【０１４２】
図２に示す他の代表的な態様においては、アセンブリは、内燃エンジン、又は有利には代替動力源、具体的には太陽電池又は燃料電池であってよい動力源を含む。熱伝達システムはアルミニウム及び／又はマグネシウム部品を含む。アセンブリにはまた、回生制動システムを含ませることもできる。図２は、熱伝達システムがアルミニウム及び／又はマグネシウム部品を含む代表的な態様を示しているが、これには銅、炭素鋼、真鍮などのような他の金属又は金属合金を更に含ませることもできることが理解されるであろう。複数の金属又は合金の組み合わせを用いることもできる。
【０１４３】
而して、ここで図２を参照すると、代表的な熱伝達システム１１６は、主動力源１０７として、内燃エンジン１０５、又は燃料電池１０５若しくは太陽電池１０５を含む。これはまた、アセンブリの回生制動システムによって充填することができる再充電可能な二次電池１１２又は場合によってはウルトラキャパシター１１３も含む。電池１１２及び／又はウルトラキャパシター１１３は二次動力源として機能させることができる。アセンブリには、ＤＣ／ＤＣコンバーター１１０、ＤＣ／ＡＣインバーター１１０、発電機１０８、電力分離装置１０９、及び／又は電圧上昇コンバーター１１１などのようなパワーエレクトロニクス装置を更に含ませることができる。更に、アセンブリには、燃料電池又は太陽電池の「バランスオブプラント」サブシステム１０６を含ませることができる。これらは、エアコンプレッサー、ポンプ、電力レギュレーターなどであってよい。アセンブリはまた、アセンブリの内部空間の環境制御用の空調システムのようなＨＡＶＣシステム１１４も含む。熱伝達システム１１６は、ポンプ１０１、熱伝達流体流路１０４、熱伝達流体タンク１０２、及びラジエーター又は熱交換器１０３、並びにファン１１５を更に含む。ファンは、それ自体の冷却媒体を有する、異なる（又は分離された）冷却システムのような外部冷却源によって置き換えることができる。
【０１４４】
一態様においては、代替動力源は燃料電池である。燃料電池は、熱伝達システム及び流体と熱連絡させる。燃料電池はアルミニウム及び／又はマグネシウム部品を含む。
熱伝達流体は、アノード、カソード、及び電解質を含む電極アセンブリ、並びに電極アセンブリ又は燃料電池と熱連絡している熱伝達流体を含む数多くの異なるタイプの燃料電池において用いることができる。一態様においては、熱伝達流体は、循環ループによって画定される溝又は流路、或いは燃料電池と熱連絡している熱伝達流体流路内に含ませるか又はこの中を流すことができる。
【０１４５】
燃料電池の非限定的な例としては、ＰＥＭ（プロトン交換膜又はポリマー電解質膜型）燃料電池、ＡＦＣ（アルカリ型燃料電池）、ＰＡＦＣ（リン酸型燃料電池）、ＭＣＦＣ（溶融炭酸塩型燃料電池）、ＳＯＦＣ（固体酸化物型燃料電池）などが挙げられる。１つの代表的な態様においては、熱伝達流体をＰＥＭ及びＡＦＣ燃料電池において用いる。
【０１４６】
一態様においては、熱を伝達させる方法は、アルミニウム及び／又はマグネシウム部品を含む熱伝達システムを、式（Ｉ）のヒドロキシル化カルボン酸を含む熱伝達流体と接触させることを含む。熱伝達流体及び熱伝達システムとしては、上記に開示の任意のもの及びそれらの組み合わせが挙げられる。
【０１４７】
以下の非限定的な実施例によって本発明を更に示す。
【実施例】
【０１４８】
冷却剤Ａ濃縮液は、１．６重量％のＮａＯＨ、２．０５１２重量％のセバシン酸、０．２重量％のナトリウムトリルトリアゾール、０．２重量％のポリプロピレングリコール消泡剤、０．００１重量％のウラニン染料、０．５重量％のＮａＮＯ３（４０％）、及び０．３重量％のOCD-448を含んでいた。重量％は濃縮液の全重量を基準とするものである。濃縮液の残りはエチレングリコールであった。
【０１４９】
冷却剤Ｃ濃縮液は、２〜３重量％の２−エチルヘキサン酸、０．５〜１重量％のネオデカン酸、０．２重量％のナトリウムトリルトリアゾール、０．２重量％のポリプロピレングリコール消泡剤、及び０．４重量％のOCD-448を含んでいた。ＮａＯＨを用いてｐＨを８．７に調節した。濃縮液の残りはエチレングリコールであった。
【０１５０】
水を用いて冷却剤濃縮液を希釈して５０体積％の混合物を調製し、この混合物を以下の実施例において用いた。室温（２０℃）の５０ｍＬの試験混合物を１００ｍＬのメスシリンダーに加えることによって発泡を試験した。シリンダーに蓋をして３０秒間激しく振盪した。次に、メスシリンダーを水平面上に配置し、１０秒間静置した。泡の頂部レベルを最も近いｍＬ数に読み取り、液体のレベルである５０ｍＬを減じることによって泡の体積を求めた。
【０１５１】
OCD-448は、過酸化水素、又は金属試片表面上の酸素を還元することによって生成させたＯＨ基によってヒドロキシル化して、それによってヒドロキシル化カルボン酸をその場で生成させたマレエート化脂肪酸である。
【０１５２】
実施例１は、５０体積％の冷却剤Ａ及び５０体積％の脱イオン水から構成される溶液を用いた。実施例２は、５０体積％の冷却剤Ｃ及び５０体積％の脱イオン水から構成される溶液を用いた。実施例３に関しては、５０体積％の冷却剤Ｃ及び５０体積％の脱イオン水から構成される５００ｍＬの溶液を、テフロンキャップ及びガラス凝縮器を取り付けたガラスビーカー内に配置した。ビーカーを、空気バブリングによって曝気しながら１０３℃において２時間加熱した。実施例４に関しては、ＡＳＴＭ−Ｄ１３８４によって規定される複数の金属試片をビーカー内に配置し、ビーカーを３時間加熱した他は、実施例３の条件を用いた。実施例５に関しては、ビーカーを５時間加熱した他は実施例４の条件を用いた。結果を表１に示す。
【０１５３】
【表１】
2011527726.tif 000017
【０１５４】
実施例において明らかなように、ヒドロキシル化カルボン酸を存在させると、泡の量が減少し、泡の量がほぼ半分だけ減少した。
この記載は、ベストモードを含む本発明を開示し、当業者が本発明を実施及び使用することを可能にするための代表的な態様及び例に関する図面を用いる。発明の特許可能な範囲は、特許請求の範囲によって規定され、当業者が想到する他の例を包含することができる。かかる他の例は、それらが特許請求の範囲の文言と相違しない構造要素を有するか、或いはそれらが特許請求の範囲の文言と僅かな相違しか有しない等価の構造要素を含むならば、特許請求の範囲内であることが意図されている。
【０１５５】
全ての引用した特許、特許出願、及び他の参照文献は、他に示さない限りにおいてその全部を参照として本明細書中に包含する。しかしながら、本出願中の用語が、包含される参照文献中の用語と相反若しくは対立する場合には、本出願からの用語が、包含される参照文献からの対立する用語に優先する。
【０１５６】
ここで開示する全ての範囲は端点を包含するものであり、端点は独立して互いに組み合わせることができる。更に、範囲の開示は、それらの範囲が別々に開示されているかどうかにかかわらず、この範囲内の任意の上限と任意の下限の任意の対から形成される全ての範囲を具体的に開示している。範囲を規定する場合には、発明の範囲が示されている特定の値に限定されることは意図しない。
【０１５７】
本発明の記載の文脈（特に特許請求の範囲の文脈）における用語“ａ”、“ａｎ”、“ｔｈｅ”、及び同様の指示詞は、ここで他に示されていないか又は記載によって明確に反しない限りにおいて、単数及び複数の両方をカバーすると解釈される。更に、「第１」、「第２」などの用語は、いかなる順番、量、又は重要性も示すものではなく、むしろ１つの要素を他のものから区別するために用いるものであることを注意すべきである。
【０１５８】
量に関連して用いる「約」という修飾語は、示した値を含むものであり、記載によって示される意味を有する（例えば、特定の量の測定に関係する誤差の程度を含む）。
ここで用いる「含み」、「含む」、及び他の変形は、開放型の用語であり、したがって他の要素の存在を許すが、それを義務づけるものではない。したがって、「から構成され」、「から構成される」、及び他の変形は、「含み」、「含む」などの範囲内である。
【０１５９】
ここで用いる「アンモニウム」は、ＮＨ４＋、第１級有機アンモニウム、第２級有機アンモニウム、第３級有機アンモニウム、第４級有機アンモニウム、及びこれらの組み合わせを含む。
【０１６０】
ここで用いる「アルミニウム」とは、アルミニウム金属、その合金、又はそれらの組み合わせを指し、「マグネシウム」とは、マグネシウム金属、その合金、又はそれらの組み合わせを指す。
【０１６１】
ここで用いる「アルミニウム部品」とは、アルミニウム及び／又はアルミニウム合金を含む熱伝達システムの部品を指す。部品は、単一のアルミニウム部品、又は一緒に接合されている少なくとも１つのアルミニウム部品を含む幾つかの部品を含む。部品はロウ付けを用いて一緒に接合することができる。一態様においては、ロウ付けは、ハロゲン化物アニオンを含むフラックス剤の存在下での制御雰囲気ロウ付け（ＣＡＢ）を用いて行う。他の態様においては、フラックス剤はフッ化物及び塩化物アニオンを含む。１つの有利な態様においては、フラックス剤はフッ化物アニオンを含む。
【０１６２】
ここでは、幾つかの化合物は、変数、例えばＲ１、Ｒ２、Ｘなどを含む一般式を用いて記載している。他に示さない限りにおいて、かかる式中のそれぞれの変数は、他の変数と独立して定義される。
【図１】
2011527726.tif 000023
【図２】
2011527726.tif 000024
【国際調査報告】
2011527726.tif 000025
2011527726.tif 000026